(57)【要約】      （修正有）【課題】容易に折り畳むことができ、折り畳んだ状態の外形がコンパクトで、また折り畳み状態からの組み立て、再設置が容易な、モバイルパーテーション、およびモバイルパーテーション部材を提供する。【解決手段】モバイルパーテーションは、前面板１０、第１側板２０、および第２側板３０を有し、第１側板は前面板の左右方向における一方の端部に折り曲げ可能に接続され、第２側板は前面板の左右方向における他方の端部に折り曲げ可能に接続され、前面板は左右方向に折り曲げ可能である。前面板は、開口部１１５と、開口部に対応する位置に左右方向に折り曲げ可能な透明窓部材４０を有し、透明窓部材は、折り曲げ線に対応する複数の部材からなる。【選択図】図３
0003228555.tif 000002
【実用新案登録請求の範囲】
【請求項１】
前面板、第１側板、および第２側板を有し、
前記第１側板は前記前面板の左右方向における一方の端部に折り曲げ可能に接続され、前記第２側板は前記前面板の左右方向における他方の端部に折り曲げ可能に接続され、
前記前面板は左右方向に折り曲げ可能である、モバイルパーテーション。
【請求項２】
前記前面板は、開口部と、前記開口部に対応する位置に左右方向に折り曲げ可能な透明窓部材を有する、請求項１に記載のモバイルパーテーション。
【請求項３】
前記透明窓部材は、折り曲げ線に対応する複数の部材からなる、請求項２に記載のモバイルパーテーション。
【請求項４】
前記透明窓部材における折り曲げ線に対応する前記複数の部材のうち少なくとも１つの部材は、外周形状に凸部を有する、請求項３に記載のモバイルパーテーション。
【請求項５】
前記透明窓部材における折り曲げ線に対応する前記複数の部材のうち少なくとも１つの部材は、前記凸部に対応する貫通孔を有する、請求項４に記載のモバイルパーテーション。
【請求項６】
前記前面板の上端部に折り曲げ可能に接続され、左右方向に折り曲げ可能な庇板を有する、請求項１乃至請求項５のいずれかに記載のモバイルパーテーション。
【請求項７】
前記第１側板および前記第２側板は、いずれも前記前面板の半分以下の大きさである、請求項１乃至請求項６のいずれかに記載のモバイルパーテーション。
【請求項８】
前記前面板、前記第１側板、および前記第２側板はいずれも上下方向に折り曲げ可能である、請求項１乃至請求項７のいずれかに記載のモバイルパーテーション。
【請求項９】
前記前面板の下端において折り返し可能に接続され、前記前面板に積層された部材を前面板下折り返し部材とし、
前記第１側板の下端において折り返し可能に接続され、前記第１側板に積層された部材を第１側板下折り返し部材とし、
前記第２側板の下端において折り返し可能に接続され、前記第２側板に積層された部材を第２側板下折り返し部材とすると、
前記前面板下折り返し部材、前記第１側板下折り返し部材、前記第２側板下折り返し部材の少なくともいずれかを有する請求項１乃至請求項８のいずれかに記載のモバイルパーテーション。
【請求項１０】
前記前面板の上端において折り返し可能に接続され、前記前面板に積層された部材を前面板上折り返し部材とし、
前記第１側板の上端において折り返し可能に接続され、前記第１側板に積層された部材を第１側板上折り返し部材とし、
前記第２側板の上端において折り返し可能に接続され、前記第２側板に積層された部材を第２側板上折り返し部材とすると、
前記前面板上折り返し部材、前記第１側板上折り返し部材、前記第２側板上折り返し部材の少なくともいずれかを有する請求項１乃至請求項９のいずれかに記載のモバイルパーテーション。
【考案の詳細な説明】
【技術分野】
【０００１】
本考案は、モバイルパーテーションに関するものである。
【背景技術】
【０００２】
近年、ウィルスによる感染に関し、咳、くしゃみ、会話による唾などによるウィルスを含む飛沫が感染原因の一つとして挙げられ、感染を抑制するためには、それらの飛沫の飛散を抑制することが対策の一つとして求められる。口と鼻をマスクで覆う事も飛沫の飛散を抑制する方法の一つである。そのような流れの一環として、食堂やオフィス、学校の教室などにおける机に卓上型のパーテーションを設置する事が感染症の拡散防止対策として推奨されている。そしてそのような卓上型のパーテーションが実際に使用されている例も増加しつつある。
【考案の概要】
【考案が解決しようとする課題】
【０００３】
しかし上記の様な卓上型のパーテーションは、その多くは机に固定されており、また机に固定されていないものであっても、机上でスライドさせてその位置を移動させることができる程度である。
この様な卓上型のパーテーションにおいて、例えば営業マンが得意先に持参したり、社内において会議室に持参したりすることができれば便宜であり、有用である。すなわち、組み立て、折り畳むことが容易であり、折り畳んだ状態における外形がコンパクトな、すなわち携帯容易な、折り畳み式の卓上型モバイルパーテーションが望まれる。
【０００４】
本考案は上記に鑑みなされたものであり、その目的は、容易に折り畳むことができ、折り畳んだ状態の外形がコンパクトで、また折り畳み状態からの組み立て、再設置が容易な、モバイルパーテーションを提供することである。
【課題を解決するための手段】
【０００５】
本考案は、前面板、第１側板、および第２側板を有し、第１側板は前面板の左右方向における一方の端部に折り曲げ可能に接続され、第２側板は前面板の左右方向における他方の端部に折り曲げ可能に接続され、前面板は左右方向に折り曲げ可能である、モバイルパーテーションである。
【０００６】
上記モバイルパーテーションにおいて、前面板は、開口部と、開口部に対応する位置に左右方向に折り曲げ可能な透明窓部材を有していてもよい。
【０００７】
上記モバイルパーテーションにおいて、透明窓部材は、折り曲げ線に対応する複数の部材からなっていてもよい。
【０００８】
上記モバイルパーテーションにおいて、透明窓部材における折り曲げ線に対応する複数の部材のうち少なくとも１つの部材は、外周形状に凸部を有していてもよい。
【０００９】
上記モバイルパーテーションにおいて、透明窓部材における折り曲げ線に対応する複数の部材のうち少なくとも１つの部材は、凸部に対応する貫通孔を有していてもよい。
【００１０】
上記モバイルパーテーションにおいて、前面板の上端部に折り曲げ可能に接続され、左右方向に折り曲げ可能な庇板を有していてもよい。
【００１１】
上記モバイルパーテーションにおいて、第１側板および第２側板は、いずれも前面板の半分以下の大きさであってもよい。
【００１２】
上記モバイルパーテーションにおいて、前面板、第１側板、および第２側板はいずれも上下方向に折り曲げ可能であってもよい。
【００１３】
上記モバイルパーテーションにおいて、前面板の下端において折り返し可能に接続され前面板に積層された部材を前面板下折り返し部材とし、第１側板の下端において折り返し可能に接続され第１側板に積層された部材を第１側板下折り返し部材とし、第２側板の下端において折り返し可能に接続され第２側板に積層された部材を第２側板下折り返し部材とすると、前面板下折り返し部材、第１側板下折り返し部材、第２側板下折り返し部材の少なくともいずれかを有していてもよい。
【００１４】
上記モバイルパーテーションにおいて、前面板の上端において折り返し可能に接続され前面板に積層された部材を前面板上折り返し部材とし、第１側板の上端において折り返し可能に接続され第１側板に積層された部材を第１側板上折り返し部材とし、第２側板の上端において折り返し可能に接続され第２側板に積層された部材を第２側板上折り返し部材とすると、前面板上折り返し部材、第１側板上折り返し部材、第２側板上折り返し部材の少なくともいずれかを有していてもよい。
【考案の効果】
【００１５】
本考案によれば、容易に折り畳むことができ、折り畳んだ状態の外形がコンパクトで、また折り畳み状態からの組み立て、再設置が容易な、モバイルパーテーションを提供することができる。
【図面の簡単な説明】
【００１６】
【図１】本考案の実施形態に係るモバイルパーテーションの概要を示す斜視図
【図２】本考案の実施形態に係るモバイルパーテーションの他の形態の概要を示す斜視図
【図３】本考案の実施形態に係るモバイルパーテーションの他の形態の概要を示す斜視図
【図４】本考案の実施形態に係るモバイルパーテーション部材の概要を示す平面図
【図５】本考案の実施形態に係るモバイルパーテーション部材の他の形態の概要を示す平面図
【図６】本考案の実施形態に係るモバイルパーテーション部材の他の形態の概要を示す平面図
【図７】本考案の実施形態に係るモバイルパーテーション部材の他の形態の概要を示す平面図
【図８】本考案の実施例に係るモバイルパーテーション部材を示す平面図
【図９】本考案の実施例に係る（ａ）モバイルパーテーション、（ｂ）、（ｃ）、（ｄ）折り畳みの様子を示す写真
【考案を実施するための形態】
【００１７】
以下、本考案に係るモバイルパーテーションについて、各図を参照して説明する。なお、以下に示す各図は、模式的に示した図であり、各部の大きさ、形状、厚さ、隙間、装飾などは理解を容易にするため適宜誇張、単純化などしている。また説明に直接的に関係しない構成などについては適宜省略している。なお、以下の各図において、同一部分には同一の符号を付しており、一部詳細な説明を省略する場合がある。
また、以下の説明では、具体的な数値、形状、材料等を示して説明を行うが、これら
は、適宜変更することができる。
【００１８】
本明細書において、板等の言葉を使用している。一般的な使い方として、厚さの厚い順に、板、シート、フィルムの順で使用されているが、このような使い分けには、技術的な意味は無いので、これらの文言は適宜置き換えても、本考案の本質も実用新案登録請求の範囲の解釈も不変である。
また、本明細書において用いる、形状や幾何学的条件並びにそれらの程度を特定する、例えば、「平行」、「直交」、「垂直」、「同一」等の用語や長さや９０°等の角度の値等については、厳密な意味に縛られることなく、同様の機能を期待し得る程度の範囲を含めて解釈されるべきである。
【００１９】
〔モバイルパーテーション〕
（実施形態）
図１は、本考案の実施形態に係るモバイルパーテーション１の全体的構成の概要を示す斜視図である。なお斜視図においては、図が煩雑となることを回避するため、板厚を無視して記載しているが、実際には有限の板厚をしている。以降の斜視図も同様である。
モバイルパーテーション１は、前面板１０、第１側板２０、および第２側板３０を有している。第１側板２０は前面板１０の左右方向における一方の端部に折り曲げ可能に接続され、第２側板３０は前面板１０の左右方向における他方の端部に折り曲げ可能に接続されている。そして前面板１０は左右方向の中心付近で左右方向に折り曲げ可能となっている。
【００２０】
好ましい形態においては、前面板１０を構成する前面板部材１１０には開口部１１５が設けられ、開口部１１５は透明窓部材４０で覆われている。すなわち前面板１０は、開口部１１５と、開口部１１５に対応する位置に左右方向に折り曲げ可能な透明窓部材４０を有する。そして前面板１０は、前面板部材１１０と透明窓部材４０とは折り曲げ線が一致する様に左右方向の中心付近で左右方向に折り曲げ可能となっている。
【００２１】
このようなモバイルパーテーション１は、着席者が机に向って着席した状態で正面に前面板１０が位置する様に机上に設置されることが好ましい。モバイルパーテーション１は上方から見れば、すなわち平面視において略コの字形状をしているため、着席者にコの字形状の開口が面する様に机上に設置されることが好ましい。上記において略コの字形状と表現したが、前面板１０と第１側板２０とがなす角と、前面板１０と第２側板３０とがなす角とは異なっていても良く、またいずれも９０°である必要はない。
【００２２】
モバイルパーテーション１は、上記構成を有し、上記設置することにより、着席者の咳、くしゃみ、会話による唾などの飛沫が対面席や隣席に飛散する抑制することができる。そして好ましい形態においては、前面板１０が透明窓部材４０を有することにより、透明窓部材４０を介して対面者を目視することが可能であるため、表情やしぐさを視認することができ、スムーズな会話が可能である。すなわちモバイルパーテーション１は、リモートではなく実際に対面するメリットを享受しながら、対面のデメリットである上記飛沫に対する暴露を抑制することができる。
さらにモバイルパーテーション１は、平面視において略コの字形状をしているため、別途固定脚などを設けることなく、そのまま自立可能である。そのためモバイルパーテーション１は、小型、軽量なものとすることができる。
【００２３】
上記の通り、前面板１０は第１側板２０および第２側板３０と折り曲げ可能に接続されている。前面板１０に係る前面板部材１１０、第１側板２０、および第２側板３０がいずれも同一材料からなる好ましい例においては、該折り曲げ可能な接続部分は、以下の形態を挙げることができる。貫通溝が形成された部分と形成されない部分とが交互に配置されたミシン目、材料の厚さ方向の一部のみ切断あるいは材料が存在しないハーフカット、一度折り曲げて再び展開した折り癖、それらの組み合わせなどである。また該折り曲げ可能な接続部分に別部材を設けても良く、例えばテープ止め、蝶番など、折り曲げ可能な機構を有するものを適用することができる。
【００２４】
上記の通り、前面板１０は左右方向の中心付近で左右方向に折り曲げ可能となっている。好ましい形態においては、前面板部材１１０と透明窓部材４０とは折り曲げ線が一致する様に左右方向の中心付近で左右方向に折り曲げ可能となっている。前面板部材１１０の折り曲げ形態は、上記前面板１０と第１側板２０および第２側板３０との折り曲げ形態と同様でよい。また、透明窓部材４０の折り曲げ形態は、図４（ｂ）の一点鎖線で示す位置に折り曲げ線を有し、上記同一材料からなる場合の折り曲げ形態を適用できる。
【００２５】
あるいは図４（ｃ）に示す通り、透明窓部材４０を左右に２分割して、一方の外周形状に形成した凸部を他方の扁平貫通孔に差し込むことで接続し、その差し込み部分が折り曲げ時には蝶番として機能することにより折り曲げる形態であっても良い。すなわち透明窓部材４０は、折り曲げ線に対応する複数の部材からなり、該複数の部材のうち少なくとも１つの部材は外周形状に凸部を有し、該複数の部材のうち少なくとも１つの部材は、該凸部に対応する貫通孔を有する。
この様な場合には、組み立て前の状態における透明窓部材４０の外形を小さくすることができるため、輸送や陳列時に便利である。また、折り畳み時や再組み立て時においては、折り曲げ時の抵抗が少なく、軽い力で折り曲げることができる。
【００２６】
モバイルパーテーション１は、前面板１０と第１側板２０との接続部分、および前面板１０と第２側板３０との接続部分はもとより、前面板１０の左右方向の中心付近においても左右方向に折り曲げ可能となっている。そのため折り畳んだ状態の外形を小さなものとすることができ、持ち運びが容易である。また上記の通り、固定脚は不要で自立するため簡単な構造とすることができ、組み立てや折り畳みが容易であり、かつ軽量である。
【００２７】
この様なモバイルパーテーション１において、前面板部材１１０、第１側板２０、および第２側板３０の材料としては、軽量、かつある程度の強度を有するものが好ましく、段ボール、厚紙（ボール紙）、プラスチック板、プラスチック段ボールなどを挙げることができる。これらは同一の材料であることが好ましい。その場合には同一の材料板から切り出すことができるため、あらかじめ相互に接続された状態とすることができ、製造および組み立てを容易なものとすることができるからである。また上記のうち、同一材料あるいは異なる材料が積層されたものであっても良い。１枚では十分な強度が得られない場合であっても、積層することで十分な強度が得られるようになるからである。
【００２８】
上記材料の板厚は材料に大きく依存する。プラスチックの場合では通常は０．０５ｍｍ以上１０ｍｍ以下であり、好ましくは０．１ｍｍ以上３ｍｍ以下、より好ましくは０．２ｍｍ以上１ｍｍ以下である。厚紙（ボール紙）の場合では通常は０．１ｍｍ以上１０ｍｍ以下であり、好ましくは０．３ｍｍ以上８ｍｍ以下、より好ましくは０．５ｍｍ以上５ｍｍ以下である。段ボールの場合では通常は０．５ｍｍ以上１５ｍｍ以下であり、好ましくは１ｍｍ以上１０ｍｍ以下、より好ましくは３ｍｍ以上８ｍｍ以下である。
【００２９】
この様なモバイルパーテーション１において、透明窓部材４０の材料としては、透明に近い方が好ましいため、プラスチックを挙げることができる。プラスチックとしては、ポリエチレン、ポリプロピレン、ポリスチレン、ポリ塩化ビニル、ポリメチルメタクリレート、アクリルニトリル−ブタジエン−スチレン樹脂、ポリアミド、ナイロン、ポリアセタール、ポリカーボネート、ポリフェニレンエーテル、ポリエチレンテレフタレート（ＰＥＴ）、ポリブチレンテレフタレート、アクリル系樹脂、ポリエステル系樹脂などを挙げることができる。好ましい一例としてはポリエチレンテレフタレート（ＰＥＴ）である。プラスチック素材の場合には、可視光に対する透過率の高く（透明に近く）することが容易なものも多く、可視光の透過率として５０％以上、好ましくは７０％以上、より好ましくは８０％以上とすることも可能である。
透明窓部材４０の板厚は、上記プラスチックの場合の板厚と同様である。
【００３０】
モバイルパーテーション１は、図２（ａ）に概要の斜視図を示す通り、前面板１０の上端部に折り曲げ可能に接続され、左右方向に折り曲げ可能な庇板５０を有することが好ましい。庇板５０の部材として、図２（ｂ）に平面図を示す様な、略長方形で、短辺方向の中心に長辺と平行な折り曲げ線、および長辺方向の中心に短辺と平行な折り曲げ線を有する庇板部材１５０を準備する。そして庇板部材１５０を該長辺と平行な折り曲げ線において略９０°折り曲げ、庇板５０が手前（着席者の方向）に突出する様に前面板１０に接続すればよい。接続は接着剤や両面テープなどを用い、折り畳み時に前面板１０と庇板５０とが分離しないものであることが好ましい。折り畳み時に分離する構造であると、再組み立て時に前面板１０に庇板５０を接続する手間が生じるからである。
【００３１】
庇板５０の材料として、上記、前面板部材１１０、第１側板２０、および第２側板３０の材料、あるいは透明窓部材４０の材料、として例示したものを使用することができ、それらのいずれかと同一の材料であることが好ましい。同一の材料板から切り出すことができるため、モバイルパーテーション１の係る部材の製造を容易かつ安価なものとすることができるからである。透明窓部材４０の材料と同一であることが更に好ましい。庇板５０は前面板１０から手前に突出する様に設置されるため、透明窓部材４０と同様に透明であれば圧迫感が低減でき、また上方からの照明を遮り難いからである。
【００３２】
庇板５０を有するモバイルパーテーション１においては、庇板５０を有さない場合の上記効果に加え、以下の効果を奏する。本考案に係るモバイルパーテーション１は、前面板１０が左右方向に折り曲げ可能であるが、庇板５０により、使用中に前面板１０が折れ曲がることを抑制することができる。すなわち庇板５０の突出部分を含む平面は使用時において前面板１０を含む平面と略９０°に交わるため、前面板１０を含む平面すなわち前面板が折れ曲がろうとする際に、庇板５０の突出部分を含む平面すなわち庇板５０が突っ張るような形で抵抗となる。前面板１０を折り曲げる際には、庇板部材１５０の長辺と平行な折り曲げ線において、折り曲げない状態に戻すか、１８０°折り曲げることにより、庇板５０全体を含む平面と前面板１０を含む平面とを平行にすることで容易に折り畳むことができる。
【００３３】
また庇板５０は前面板１０に対して手前すなわち着席者の方向に突出するものであるため、着席者の対面席に対する飛沫の飛散を一層抑制することができる。すなわち、着席者のした咳やくしゃみなどの気流のうち、前面板１０により上方に方向転換した気流について、庇板５０がない場合では前面板１０の上端を超えて対面席側に拡散するものもあるが、庇板５０がある場合においては、前面板１０の上端付近にある庇板５０によりさらに方向転換して着席者の方に向かう気流となり、着席者側に留まる割合が高まる、という効果を奏する。
【００３４】
モバイルパーテーション１において、第１側板２０および第２側板３０は、いずれも前面板１０の半分以下の大きさであることが好ましい。
上記の通り、前面板１０は左右方向の中心付近で左右方向に折り曲げ可能となっており、好ましい形態においては、前面板部材１１０と透明窓部材４０とは折り曲げ線が一致する様に左右方向の中心付近で左右方向に折り曲げ可能となっている。仮に第１側板２０および第２側板３０のいずれかが、前面板１０の半分を上回る大きさを有するとすると、折り畳んだ状態において、折り畳まれた状態の前面板１０から第１側板２０あるいは第２側板３０が平面視においてはみ出してしまい、折り畳み時の外形形状をコンパクトなものとする本考案の効果が損なわれてしまうからである。
【００３５】
モバイルパーテーション１は、図３に概要の斜視図を示す通り、前面板１０、第１側板２０、および第２側板３０はいずれも上下方向に折り曲げ可能であることが更に好ましい。この場合には透明窓部材４０についても上下方向に折り曲げ可能であることを要する。折り曲げ線の位置は上下方向の中心付近であることが好ましい。折り畳んだ際の外形形状を効率よく小さなものとすることができるからである。
【００３６】
モバイルパーテーション１を折り畳む手順は、モバイルパーテーション１の設計、すなわち各折り曲げ線におけるハーフカットの向きや折り癖の向きにより決まっていることが多い。折り畳み手順の一例を以下に示す。まず第１側板２０、第２側板３０、および庇板５０を各々が前面板１０と重なる様に折り畳み、平面視における外形形状を前面板１０単体と同様とする。次に全体を上下方向に折り畳む。そして最後に全体を左右方向に折り畳む。折り畳み後の平面視における外形形状は、折り畳み前の前面板１０の平面視における外形形状のおよそ１／４と、非常にコンパクトなものとすることができる。
再組み立て時には、上記折り畳みと逆の手順で展開すればよく、容易に組み立てることができる。
【００３７】
ここで透明窓部材４０に注目するならば、透明窓部材４０は、略直交する２方向に折り曲げられる。該２方向の折り曲げは、折り曲げ線により実現しても構わないが、図４（ｃ）を用いて説明した、２分割することにより分割部分で折り曲げ可能となる形態と同様の考えを適用してもよい。具体的には図５（ｂ）の左図に示す通り、透明窓部材４０は、上部分、右下部分、および左下部分に３分割されている。３分割された各部分は、図５（ｂ）に示す様な凸部を有する外周形状、および扁平貫通孔を有している。そして各凸部を対応する扁平貫通孔に各差し込むことで、図５（ｂ）の右図に示す様な全体として略長方形状を有する透明窓部材４０とすることができる。すなわち透明窓部材４０は、折り曲げ線に対応する複数の部材からなり、該複数の部材のうち少なくとも１つの部材は外周形状に凸部を有し、該複数の部材のうち少なくとも１つの部材は、該凸部に対応する貫通孔を有する。
この様な場合には、組み立て前の状態における透明窓部材４０の外形を小さくすることができるため、輸送や陳列時に便利である。また、折り畳み時や再組み立て時においては、折り曲げ時の抵抗が少なく、軽い力で折り曲げることができる。
【００３８】
上下方向に折り畳み可能なモバイルパーテーション１であっても、組み立て後、すなわち使用時の平面視で略コの字形状を有しているために、使用中に上下方向の折り曲げ線において折れ曲がってしまうことはない。また上記の通り、折り畳み後の外形形状を非常にコンパクトなものとすることができるため、鞄に入れたり、小脇に抱えたりして容易に持ち運ぶことができる。
また、折り畳んだ状態のモバイルパーテーション１がちょうど収まる大きさの収納ケースを別途用意しても良い。その場合には、持ち運び時においてまとまりがよく、またモバイルパーテーション１を保護することもできる。
【００３９】
上記においてモバイルパーテーション１は、組み立てられた状態のものとして説明してきた。しかし本考案に係るモバイルパーテーション１は、容易に組み立てることができ、また容易に折り畳むことができるものである。このことを鑑みるならば、組み立てられた状態のものに限らず、組み立て前の状態のもの、あるいは折り畳み後の状態のものも本考案に係るモバイルパーテーション１に当然に含まれる。
【００４０】
〔モバイルパーテーション部材〕
（実施形態）
次にモバイルパーテーション１を作製する際の部材となるモバイルパーテーション部材２について説明する。モバイルパーテーション部材２はモバイルパーテーション１を作製するための組み立てキットに相当する部材である。
【００４１】
モバイルパーテーション部材２は図４にその平面図を示す通り、本体部材１００および透明窓部材４０を有し、本体部材１００は、前面板部材１１０、第１側板部材１２０、および第２側板部材１３０を有している。第１側板部材１２０は前面板部材１１０の左右方向における一方の端部に折り曲げ可能に接続され、第２側板部材１３０は前面板部材１１０の左右方向における他方の端部に折り曲げ可能に接続されている。そして前面板部材１１０は開口部１１５を有し、左右方向の中心付近で左右方向に折り曲げ可能であり、透明窓部材４０は、開口部１１５を全て覆うことができる形状を有し、左右方向の中心付近で左右方向に折り曲げ可能となっている。
【００４２】
本体部材１００を構成する前面板部材１１０、第１側板部材１２０、および第２側板部材１３０は同一の材料からなることが好ましい。折り曲げ線を形成することのみで前面板部材１１０、第１側板部材１２０、および第２側板部材１３０を各画定することができるため、簡単な構造とすることができ、コストダウンにもつながるからである。
本体部材１００の材料および板厚としては、前面板部材１１０、第１側板２０、および第２側板３０の材料および板厚として上記例示したものを用いることができる。
また透明窓部材４０の材料、板厚についても上記例示した通りである。
【００４３】
本体部材１００における折り曲げ可能な部分には、通常は折り曲げ線が形成されており、該折り曲げ線は図４においては一点鎖線で表されている。折り曲げ線としては、上記モバイルパーテーション１の説明において折り曲げ可能な接続部分の形態として例示したものを挙げることができる。具体的には、貫通溝が形成された部分と形成されない部分とが交互に配置されたミシン目、材料の厚さ方向の一部のみ切断あるいは材料が存在しないハーフカット、一度折り曲げて再び展開した折り癖、それらの組み合わせなどである。
【００４４】
透明窓部材４０は、左右方向に折り曲げ可能であり、本体部材１００と同様に図４（ｂ）に示す通り折り曲げ線が形成されていてもよい。図４（ｃ）に示す通り、透明窓部材４０を左右に２分割して、一方の外周形状に形成した凸部を他方の扁平貫通孔に差し込むことで接続することは好ましい一例である。その差し込み部分が、折り曲げ時には蝶番として機能することにより折り曲げ時の抵抗が少なく、非常に軽い力で折り曲げることができるからである。この折り曲げ形態においては、図４（ｃ）の右側の図において破線で示す、２つの扁平貫通孔を結ぶ線を機能的には折り曲げ線と見なすことができよう。
【００４５】
モバイルパーテーション１を作製する際には、まずモバイルパーテーション部材２を準備する。次にその前面板部材１１０が有する開口部１１５を全て覆うように、また前面板部材１１０の折り曲げ線と透明窓部材４０の折り曲げ線とが一致する様に、前面板部材１１０に対し透明窓部材４０を接着する。通常は両者の折り曲げ線が一致する様に両者を配置すれば、開口部１１５を全て覆うことができる様に透明窓部材４０の外形形状は加工されている。最後に前面板部材１１０に対し、第１側板部材１２０、および第２側板部材１３０が略９０°となる様に、各折り曲げ線において折り曲げて略コの字形状とすればモバイルパーテーション１が完成する。
【００４６】
この様なモバイルパーテーション部材２は、それを組み立てることで図１に係るモバイルパーテーション１を容易に得ることができる。そして前面板部材１１０および透明窓部材４０がいずれも左右方向に折り曲げ可能である、すなわち折り曲げ線を有するため、組み立てたモバイルパーテーション１を容易に折り畳むことができ、また折り畳み後の外形形状をコンパクトなものとすることができる。
【００４７】
モバイルパーテーション部材２は、更に折り曲げ可能な庇板部材１５０を有することが好ましい。庇板部材１５０の一例を図４（ｄ）に示す。図４（ｄ）における庇板部材１５０は、略長方形で、短辺方向の中心に長辺と平行な折り曲げ線、および長辺方向の中心に短辺と平行な折り曲げ線を有している。
【００４８】
組み立て時には庇板部材１５０を該長辺と平行な折り曲げ線において略９０°折り曲げ、短辺と平行な折り曲げ線が前面板部材１１０の折り曲げ線と一致する様に、かつ庇板５０が手前に突出する様に前面板部材１１０に接続すればよい。接続は接着剤や両面テープなどを用い、折り畳み時に前面板１０と庇板５０とが分離しないものであることが好ましい。庇板部材１５０の材料は庇板５０の材料として例示した通りである。
【００４９】
この様なモバイルパーテーション部材２は、それを組み立てることで図２に係るモバイルパーテーション１を容易に得ることができる。そして庇板部材１５０が（短辺と平行な）折り曲げ線を有することで、庇板５０も左右方向に折り曲げ可能である。そして前面板部材１１０、透明窓部材４０、庇板５０がいずれも左右方向に折り曲げ可能であるため、組み立てたモバイルパーテーション１を容易に折り畳むことができ、また折り畳み後の外形形状をコンパクトなものとすることができる。
【００５０】
モバイルパーテーション部材２においては、図５にその平面図を示す通り、更に前面板部材１１０、第１側板部材１２０、および第２側板部材１３０はいずれも上下方向の中心付近で上下方向に折り曲げ可能であり、透明窓部材４０は、略直交する２方向に折り曲げ可能であることが好ましい。
【００５１】
図５（ａ）において第１側板部材１２０、および第２側板部材１３０はいずれも、図５（ａ）における左右方向の一点鎖線で示される折り曲げ線を有している。一方前面板部材１１０は図５（ａ）における左右方向に切れ込みを有し、その切れ込みは数ｍｍ程度の幅を持している。前面板部材１１０については該切れ込みにより上下方向にも折り曲げ可能となっている。前面板部材１１０の左右方向について折り曲げ線ではなく切れ込みとしたのは、折り畳む際に第１側板２０および第２側板３０を前面板１０と重なる様に折り曲げた後で、その全体を上下方向に折り畳む際に、前面板部材１１０の左右方向についても折り曲げ線としたのでは、各部材（前面板部材１１０、第１側板２０、および第２側板３０）の各板厚のために折り畳み難いためである。前面板部材１１０の該切れ込みは、折り畳み時における逃がしの様な役割である。
【００５２】
透明窓部材４０は、略直交する２方向に折り曲げ可能である。略直交する２方向に折り曲げ可能であることは、折り曲げ線により実現しても構わないが、図４（ｃ）を用いて説明した、２分割することにより分割部分で折り曲げ可能となる形態と同様の考えを適用してもよい。すなわち、図５（ｂ）の左図に示す通り、透明窓部材４０は、上部分、右下部分、および左下部分に３分割されている。３分割された各部分は、図５（ｂ）に示す様な凸部を有する外周形状、および扁平貫通孔を有している。そして各凸部を対応する扁平貫通孔に各差し込むことで、図５（ｂ）の右図に示す様な全体として略長方形状を有する透明窓部材４０とすることができる。
【００５３】
そしてモバイルパーテーション１の折り畳み時においては、透明窓部材４０としては、先に上下方向に折り畳まれるが、このときは分割部分に係る折り畳みなので非常に軽い力で折り曲げることができる。その後、前面板を左右方向に折り畳む際には透明窓部材４０も左右方向に折り畳まれることとなるが、透明窓部材４０の上部分については折り曲げ線による折り畳み、下部分については分割部分に係る折り畳みとなる。この左右方向に係る折り畳み形態については、使用時における透明窓部材４０の強度と、折り畳み易さを両立させたものである。
【００５４】
この様なモバイルパーテーション部材２は、それを組み立てることで図３に係るモバイルパーテーション１を容易に得ることができる。そして前面板部材１１０、第１側板部材１２０、第２側板部材１３０、および透明窓部材４０はいずれも上下方向に折り曲げ可能であるため、折り畳み後の外形形状を非常にコンパクトなものとすることができる。そのため、鞄に入れたり、小脇に抱えたりして容易に持ち運ぶことができる。
【００５５】
モバイルパーテーション部材２においては、本体部材１００は更に下折り返し部材を有することが好ましい。下折り返し部材は、前面板部材１１０、第１側板部材１２０、および第２側板部材１３０の少なくともいずれかの下端部において折り曲げ可能に接続されたものである。下折り返し部材の名称として、前面板部材１１０に接続されるものを前面板下折り返し部材１１１、第１側板部材１２０に接続されるものを第１側板下折り返し部材１２１、第２側板部材１３０に接続されるものを第２側板下折り返し部材１３１とする。図６（ａ）に本好ましい形態における本体部材１００の平面図を示すが、図６（ａ）においては本体部材１００が、前面板下折り返し部材１１１、第１側板下折り返し部材１２１、第２側板下折り返し部材１３１をいずれも有する例を示している。
【００５６】
下折り返し部材、すなわち前面板下折り返し部材１１１、第１側板下折り返し部材１２１、第２側板下折り返し部材１３１は、いずれも組み立て時に、対応する本体部材１００すなわち前面板部材１１０、第１側板部材１２０、第２側板部材１３０に重なる様に折り返される。折り返す向きとしては、前面板部材１１０に対し組み合わせた状態の透明窓部材４０を各折曲げ線が一致する様に接着し、次いで前面板下折り返し部材１１１を折り返す際に、前面板部材１１０と前面板下折り返し部材１１１とで透明窓部材４０が挟み込まれる向きに折り返すことが好ましい。
下折り返し部材は対応する本体部材１００を補強する役割を有し、具体的には、前面板下折り返し部材１１１は前面板部材１１０を、第１側板下折り返し部材１２１は第１側板部材１２０を、第２側板下折り返し部材１３１は第２側板部材１３０を各補強している。
【００５７】
このような下折り返し部材を有する形態におけるモバイルパーテーション１は、次の様に表現することができる。前面板１０の下端において折り返し可能に接続され、前面板１０に積層された部材を前面板下折り返し部材１１１とし、第１側板２０の下端において折り返し可能に接続され、第１側板２０に積層された部材を第１側板下折り返し部材１２１とし、第２側板３０の下端において折り返し可能に接続され、第２側板３０に積層された部材を第２側板下折り返し部材１３１とすると、モバイルパーテーション１は、前面板下折り返し部材１１１、第１側板下折り返し部材１２１、第２側板下折り返し部材１３１の少なくともいずれかを有する。
【００５８】
モバイルパーテーション１において、本体部材１００と下折り返し部材とは同一の材料であることが好ましい。下折り返し部材を有するモバイルパーテーション部材２と同様の効果を得ることができるからである。
しかしながら、モバイルパーテーション１においては、本体部材１００と下折り返し部材とは必ずしも同一の材料であることを要しない。すなわち、前面板部材１１０と前面板下折り返し部材１１１、第１側板部材１２０と第１側板下折り返し部材１２１、第２側板部材１３０と第２側板下折り返し部材１３１、はいずれも異なる材料であっても構わない。異なる材料間における折り返し可能な接続としては、テープ止め、蝶番などを挙げることができる。
【００５９】
下折り返し部材は対応する本体部材１００を補強するものであるため、補強する面積すなわち下折り返し部材の面積は広い方が好ましい。しかし折り畳み時の平面視において本体部材１００からはみ出る様では、折り畳み後の外形形状をコンパクトなものとすることができるという、本考案に係るモバイルパーテーション１の効果を損なうこととなるため好ましくない。以上を鑑み下折り返し部材の大きさは、折り返した際に、本体部材１００からはみ出ることなく、かつ前面板部材１１０、第１側板部材１２０、および第２側板部材１３０における上下方向に折り曲げ可能とする折り曲げ線を超えない範囲で、なるべく広い面積であることが好ましい。すなわち、前面板部材１１０、第１側板部材１２０、および第２側板部材１３０における上下方向に折り曲げ可能とする各折り曲げ線より下の部分とほぼ同様な形状であることが好ましい。
【００６０】
下折り返し部材を折り返すことにより、下折り返し部材が重ねられた本体部材１００（前面板部材１１０、第１側板部材１２０、および第２側板部材１３０）の板厚はおよそ２倍となる。そのため前面板部材１１０と第１側板部材１２０との接続部分、および前面板部材１１０と第２側板部材１３０との接続部分において、折り畳みが困難となってしまう恐れがある。これに対処するために、下折り返し部材あるいは本体部材１００における該接続部分において切れ込み（逃がし）が形成されていることが好ましい。図６（ａ）は、下折り返し部材に切れ込み（逃がし）が形成された例であり、該接続部分においては本体部材１００のみとなっている。
【００６１】
この様なモバイルパーテーション部材２は、それを組み立てることで図３に係るモバイルパーテーション１を容易に得ることができる。そして下折り返し部材を有することにより、本体部材１００（前面板部材１１０、第１側板部材１２０、および第２側板部材１３０）の下半分について約２倍の板厚とすることができ、その分本体部材１００の下半分の強度を向上させることができる。後述する上半分も補強される例と比較して軽量なモバイルパーテーション１とすることができる。下折り返し部材あるいは本体部材１００のいずれかにおいて、前面板部材１１０と第１側板部材１２０との接続部分、および前面板部材１１０と第２側板部材１３０との接続部分において切れ込み（逃がし）が形成されている。これにより下折り返し部材を有さないモバイルパーテーション１と同様の容易さで折り畳むことができる。
【００６２】
この様なモバイルパーテーション１においては、前面板下折り返し部材１１１、第１側板下折り返し部材１２１、第２側板下折り返し部材１３１の少なくともいずれかを有することにより、モバイルパーテーション１（前面板１０、第１側板２０、第２側板３０）の下半分について約２倍の板厚とすることができ、その分モバイルパーテーション１の下半分の強度を向上させることができる。後述する上半分も補強される例と比較して軽量なモバイルパーテーション１とすることができる。
【００６３】
モバイルパーテーション部材２においては、本体部材１００は上折り返し部材を有することが好ましい。上折り返し部材は、前面板部材１１０、第１側板部材１２０、および第２側板部材１３０の少なくともいずれかの上端部において折り曲げ可能に接続されたものである。上折り返し部材の名称として、前面板部材１１０に接続されるものを前面板上折り返し部材１１２、第１側板部材１２０に接続されるものを第１側板上折り返し部材１２２、第２側板部材１３０に接続されるものを第２側板上折り返し部材１３２とする。図７（ａ）に本好ましい形態における本体部材１００の平面図を示すが、図７（ａ）においては、前面板上折り返し部材１１２、第１側板上折り返し部材１２２、第２側板上折り返し部材１３２をいずれも有するほか、前面板下折り返し部材１１１、第１側板下折り返し部材１２１、第２側板下折り返し部材１３１をも有する例を示している。
【００６４】
上折り返し部材、すなわち前面板上折り返し部材１１２、第１側板上折り返し部材１２２、第２側板上折り返し部材１３２は、いずれも組み立て時に、対応する本体部材１００すなわち前面板部材１１０、第１側板部材１２０、第２側板部材１３０に重なる様に折り返される点において下折り返し部材と同様である。また透明窓部材４０が挟み込まれる向きに折り返すことが好ましい点においても下折り返し部材と同様である。
そして前面板上折り返し部材１１２は前面板部材１１０を、第１側板上折り返し部材１２２は第１側板部材１２０を、第２側板上折り返し部材１３２は第２側板部材１３０を各補強する点においても下折り返し部材と同様である。
【００６５】
このような上折り返し部材を有する形態におけるモバイルパーテーション１は、次の様に表現することができる。前面板１０の上端において折り返し可能に接続され、前面板１０に積層された部材を前面板上折り返し部材１１２とし、第１側板２０の上端において折り返し可能に接続され、第１側板２０に積層された部材を第１側板上折り返し部材１２２とし、第２側板３０の上端において折り返し可能に接続され、第２側板３０に積層された部材を第２側板上折り返し部材１３２とすると、モバイルパーテーション１は、前面板上折り返し部材１１２、第１側板上折り返し部材１２２、第２側板上折り返し部材１３２の少なくともいずれかを有する。
【００６６】
モバイルパーテーション１において、本体部材１００と上折り返し部材とは同一の材料であることが好ましい。上折り返し部材を有するモバイルパーテーション部材２と同様の効果を得ることができるからである。
しかしながら、モバイルパーテーション１においては、本体部材１００と上折り返し部材とは必ずしも同一の材料であることを要しない。すなわち、前面板部材１１０と前面板上折り返し部材１１２、第１側板部材１２０と第１側板上折り返し部材１２２、第２側板部材１３０と第２側板上折り返し部材１３２、はいずれも異なる材料であっても構わない。異なる材料間における折り返し可能な接続としては、テープ止め、蝶番などを挙げることができる。
【００６７】
そして前面板上折り返し部材１１２、第１側板上折り返し部材１２２、第２側板上折り返し部材１３２の各形状は、前面板部材１１０、第１側板部材１２０、および第２側板部材１３０における上下方向に折り曲げ可能とする各折り曲げ線より上の部分とほぼ同様な形状であることが好ましい点においても下折り返し部材と同様である。
【００６８】
また、下折り返し部材の場合と同様に、上折り返し部材あるいは本体部材１００のいずれかにおいて、前面板部材１１０と第１側板部材１２０との接続部分、および前面板部材１１０と第２側板部材１３０との接続部分において切れ込み（逃がし）が形成されていることが好ましい。図７（ａ）は、下折り返し部材、および上折り返し部材には切れ込み（逃がし）が形成されておらず、本体部材１００に切れ込み（逃がし）が形成された例であり、該接続部分においては下折り返し部材、および上折り返し部材のみとなっている。
【００６９】
この様なモバイルパーテーション部材２は、それを組み立てることで図３に係るモバイルパーテーション１を容易に得ることができる。そして上折り返し部材を有することにより、本体部材１００（前面板部材１１０、第１側板部材１２０、および第２側板部材１３０）の上半分について約２倍の板厚とすることができ、その分本体部材１００の上半分の強度を向上させることができる。上記下半分のみ補強される例と比較すると、上半分も補強されているため、モバイルパーテーション１の強度をさらに向上させることができる。上折り返し部材あるいは本体部材１００のいずれかにおいて、前面板部材１１０と第１側板部材１２０との接続部分、および前面板部材１１０と第２側板部材１３０との接続部分において切れ込み（逃がし）が形成されている。これにより上折り返し部材を有さないモバイルパーテーション１と同様の容易さで折り畳むことができる。
【００７０】
この様なモバイルパーテーション１においては、前面板上折り返し部材１１２、第１側板上折り返し部材１２２、第２側板上折り返し部材１３２の少なくともいずれかを有することにより、モバイルパーテーション１（前面板１０、第１側板２０、第２側板３０）の下半分について約２倍の板厚とすることができ、その分モバイルパーテーション１の上半分の強度を向上させることができる。上記下半分のみ補強される例と比較すると、上半分も補強されているため、モバイルパーテーション１の強度をさらに向上させることができる。
【実施例】
【００７１】
モバイルパーテーション部材２の実施例を図８に示す。図８は上記説明における図７に示した形態に係る実施例である。図８（ａ）は本体部材１００を、図８（ｂ）は透明窓部材４０を、図８（ｃ）は庇板部材１５０を、図８（ｄ）は折り畳んだ状態のモバイルパーテーション１を収納するための収納ケースを組み立てるための収納ケース部材を、各示している。各部材には図示の通り折り曲げ線および切れ込み（逃がし）が形成されている。
本体部材１００および収納ケースは、厚さ１．０ｍｍの白色ボール紙からなり、透明窓部材４０および庇板部材１５０は、厚さ０．３ｍｍの透明ＰＥＴからなっている。
【００７２】
上記実施例に係るモバイルパーテーション部材２を組み立てて得られたモバイルパーテーション１の写真を図９（ａ）に示す。モバイルパーテーション１の外観、および透明窓部材４０を介し対面が良好に視認できることが確認できる。
【００７３】
次にモバイルパーテーション１を折り畳む様子を写真で示す。まず、庇板５０が前面板１０と第１側板２０および第２側板３０との間に挟まれる様に第１側板２０、第２側板３０、および庇板５０を折り畳む（図９（ｂ））。次に第１側板２０および第２側板３０が内側となる様に上下方向に折り畳む（図９（ｃ））。最後に前面板１０の左右方向の折り曲げ可能とする折り曲げ線に従い折り畳む（図９（ｄ））。図９（ｃ）および図９（ｄ）においては、透明窓部材４０における折り曲げ部分が、分割部分の各凸部を対応する扁平貫通孔に各差し込む形態である場合において、良好に折り畳まれている様子を確認することができる。
【００７４】
折り畳み後の平面視における外形形状は、折り畳み前の前面板１０の平面視における外形形状のおよそ１／４と、非常にコンパクトになっていることが確認できる。そして折り畳んだ状態のモバイルパーテーション１を収納する収納ケースの外形形状は、縦２８ｃｍ、横２４ｃｍ、厚さ１８ｍｍ程度と、実際に非常にコンパクトである。そのため鞄に入れたり、小脇に抱えたりして容易に持ち運ぶことができる。
【００７５】
以上例示により説明してきた様に、本考案に係るモバイルパーテーション１、およびモバイルパーテーション部材２については、様々な変形形態が考えられる。
本考案は、上記実施形態に限定されるものではない。上記実施形態は例示であり、本考案の実用新案登録請求の範囲に記載された技術的思想と、実質的に同一の構成を有し、同様な作用効果を奏するものは、いかなる場合であっても本考案の技術的範囲に包含される。
【００７６】
すなわち、説明を明瞭かつ簡潔なものとして考案の本質の理解を容易とするため、モバイルパーテーション１の図面においては厚さを明示することなく説明した。またモバイルパーテーション１、およびモバイルパーテーション部材２に係る各部材については、基本的には長方形であるものとして説明してきた。しかしながら各部材において、長方形をベースとして、角部に面取りを施したり、各辺においてデザイン上の凹凸、曲線などを採用したりした形態であったとしても、本考案の実用新案登録請求の範囲に記載された技術的思想と、実質的に同一の構成を有し、同様な作用効果を奏するものは、本考案の技術的範囲に包含される。
【産業上の利用可能性】
【００７７】
本考案に係るモバイルパーテーション１、あるいは本考案に係るモバイルパーテーション部材２を組み立ててなるモバイルパーテーション１は、例えば社員食堂や学校の食堂、あるいはオフィスにおける会議室、得意先との面談の席などおける机上に設置することができる。この様な場所でモバイルパーテーション１を使用する場合には、咳、くしゃみ、会話などによる対面席や隣席への飛沫の飛散を抑制することができる。そして透明窓部材４０を介して対面者の表情やしぐさを視認することができるためスムーズな会話が可能である。そして、容易にかつコンパクトに折り畳むことができるため、鞄に入れたり、小脇に抱えたりして、気軽にかつ容易に持ち運ぶことができる。
【符号の説明】
【００７８】
１      モバイルパーテーション
２      モバイルパーテーション部材
１０      前面板
２０      第１側板
３０      第２側板
４０      透明窓部材
５０      庇板
１００      本体部材
１１０      前面板部材
１１５      開口部
１２０      第１側板部材
１３０      第２側板部材
１５０      庇板部材
１１１      前面板下折り返し部材
１２１      第１側板下折り返し部材
１３１      第２側板下折り返し部材
１１２      前面板上折り返し部材
１２２      第１側板上折り返し部材
１３２      第２側板上折り返し部材
【図１】
0003228555.tif 000003
【図２】
0003228555.tif 000004
【図３】
0003228555.tif 000005
【図４】
0003228555.tif 000006
【図５】
0003228555.tif 000007
【図６】
0003228555.tif 000008
【図７】
0003228555.tif 000009
【図８】
0003228555.tif 000010
【図９】
0003228555.tif 000011